(57)【要約】【課題】貯蔵室の開口部を確実に密閉することができ、冷却効率を向上させることが可能な冷蔵庫を提供する。【解決手段】冷蔵庫１は、開口部３ａを有する冷蔵室３と、開口部３を開閉する正面視矩形をなす上扉５と、上扉５の開口部３ａの周縁に対応する部分に取り付けられ上扉５の閉鎖時に開口部３ａの周縁に接触するパッキン１０、２０と、を備え、左上扉５Ｌの開放時において、パッキン１０の、左上扉５Ｌの角部に対応する角部１２の部分が角部１２と他の角部１１との中間部分と比較して左上扉５Ｌから離れる方向に突出する。【選択図】図７
2015087084.tif 000002
【特許請求の範囲】
【請求項１】
開口部を有する貯蔵室と、
前記開口部を開閉する正面視矩形をなす扉と、
前記扉の前記開口部の周縁に対応する部分に取り付けられ前記扉の閉鎖時に前記開口部の周縁に接触するパッキンと、
を備え、
前記パッキンは、前記扉の開放時において、前記扉の角部に対応する部分が前記角部と他の角部との中間部分と比較して前記扉から離れる方向に突出することを特徴とする冷蔵庫。
【請求項２】
前記パッキンは、前記扉から離れる方向または近づく方向に伸縮可能な中空部を備え、前記扉の前記角部に対応する部分の前記中空部が、前記角部と他の角部との中間部分と比較して前記扉から離れる方向に伸びた状態にして形成されることにより、前記扉の開放時において、前記扉の前記角部に対応する部分が前記角部と他の角部との中間部分と比較して前記扉から離れる方向に突出することを特徴とする請求項１に記載の冷蔵庫。
【請求項３】
前記パッキンの前記扉に対する取り付け箇所に設けられ前記パッキンを前記扉から離れる方向または近づく方向の複数箇所で前記扉に対して係止可能にする係止部を備え、前記パッキンは、前記扉の前記角部に対応する部分が、前記角部と他の角部との中間部分と比較して前記扉から離れる形態となる前記係止部に係止されることにより、前記扉の開放時において、前記扉の前記角部に対応する部分が前記角部と他の角部との中間部分と比較して前記扉から離れる方向に突出することを特徴とする請求項１に記載の冷蔵庫。
【請求項４】
前記パッキンの前記扉に対する取り付け箇所に設けられ前記扉に向かって突出する断面矢尻形状をなす係止片と、
前記係止片の先端と根本との略中間部に設けられた前記係止片の周面に対して外側に向かって延びる係合突起と、
前記係止片の先端の前記矢尻の部分と前記係合突起との間で凹部として形成された第１係止部と、
前記係止片の根元と前記係合突起との間で凹部として形成された第２係止部と、
前記係止片を係止して前記パッキンを保持するとともに前記扉の前記角部から他の角部に向かって離れるに連れてその断面形状が第１断面形状、第２断面形状、第３断面形状と変化する係合溝と、
を備え、
前記係合溝は、前記第１断面形状の領域で前記係止片の前記第１係止部を係止し、前記第３断面形状の領域で前記係止片の前記第２係止部を係止することを特徴とする請求項３に記載の冷蔵庫。
【請求項５】
前記パッキンの前記扉に対する取り付け箇所に設けられ前記パッキンの前記扉の前記角部に対応する部分を局部的に前記扉から離れる方向または近づく方向に移動可能にして係合する係合部を備え、前記パッキンは、前記扉の閉鎖状態からの開放過程おいて前記扉から離隔するとき、前記扉の前記角部に対応する部分が、前記角部と他の角部との中間部分と比較して局部的に前記扉から離れる方向に移動することにより、前記扉の開放時において、前記扉の前記角部に対応する部分が前記角部と他の角部との中間部分と比較して前記扉から離れる方向に突出することを特徴とする請求項１に記載の冷蔵庫。
【発明の詳細な説明】
【技術分野】
【０００１】
本発明は冷蔵庫に関する。
【背景技術】
【０００２】
従来、貯蔵室の開口部を開閉する扉を備えた冷蔵庫が知られている。このような従来の冷蔵庫が特許文献１に開示されている。
【０００３】
特許文献１に記載された従来の冷蔵庫は扉の閉鎖状態において扉と貯蔵室の開口部との間を密閉させるためのパッキンを備えている。例えば、片開き式の扉の場合、一般的に正面視矩形をなす扉の周縁四辺にパッキンが設けられる。また例えば、特許文献１に記載された所謂観音開き式の扉の場合のように、左右の扉の互いに対向し合う部分にもパッキンが設けられることがある。このような構成により、庫内の空気を外部に逃がしたり、外部の空気が庫内へ侵入したりすることを防止して、庫内の温度や湿度を所定の状態に保持できるようにしている。
【先行技術文献】
【特許文献】
【０００４】
【特許文献１】特開２０１０−６０１４３号公報
【発明の概要】
【発明が解決しようとする課題】
【０００５】
しかしながら、上記従来の冷蔵庫では、扉の周縁四辺に取り付けるパッキンを形成する工程において、角部で接合する二辺のパッキンのその接合部に、例えばバリが発生するなどの不具合が生じることがあった。また、観音開き式の左右の扉の互いに対向し合う部分のパッキンについては、扉の閉鎖時におけるパッキンどうしの間で生じる摩擦の作用によりパッキンが変形することがあった。
【０００６】
これらの不具合により、扉の角部においてパッキンと貯蔵室の開口部との間に隙間ができてしまうことがあった。したがって、貯蔵室を扉で密閉することができず、冷蔵庫の冷却性能が低下する虞があるといった問題があった。
【０００７】
本発明は上記の点に鑑みなされたものであり、貯蔵室の開口部を確実に密閉することができ、冷却効率を向上させることが可能な冷蔵庫を提供することを目的とする。
【課題を解決するための手段】
【０００８】
上記の課題を解決するため、本発明の冷蔵庫は、開口部を有する貯蔵室と、前記開口部を開閉する正面視矩形をなす扉と、前記扉の前記開口部の周縁に対応する部分に取り付けられ前記扉の閉鎖時に前記開口部の周縁に接触するパッキンと、を備え、前記パッキンは、前記扉の開放時において、前記扉の角部に対応する部分が前記角部と他の角部との中間部分と比較して前記扉から離れる方向に突出することを特徴としている。
【０００９】
この構成によれば、扉の開放時において、パッキンの角部の扉から貯蔵室の開口部に向かう方向の厚みが増加する。さらに、扉の閉鎖時において、パッキンの角部の開口部との接触圧力が増加する。したがって、扉の角部においてパッキンと貯蔵室の開口部との間に隙間ができることが抑制される。
【００１０】
また、上記構成の冷蔵庫において、前記パッキンは、前記扉から離れる方向または近づく方向に伸縮可能な中空部を備え、前記扉の前記角部に対応する部分の前記中空部が、前記角部と他の角部との中間部分と比較して前記扉から離れる方向に伸びた状態にして形成されることにより、前記扉の開放時において、前記扉の前記角部に対応する部分が前記角部と他の角部との中間部分と比較して前記扉から離れる方向に突出することを特徴としている。
【００１１】
この構成によれば、パッキンの中空部の構造を利用することで、扉の開放時におけるパッキンの角部の厚みが増加し、扉の閉鎖時におけるパッキンの角部の接触圧力が増加する。したがって、扉の角部においてパッキンと貯蔵室の開口部との間に隙間ができることが抑制される。
【００１２】
また、上記構成の冷蔵庫において、前記パッキンの前記扉に対する取り付け箇所に設けられ前記パッキンを前記扉から離れる方向または近づく方向の複数箇所で前記扉に対して係止可能にする係止部を備え、前記パッキンは、前記扉の前記角部に対応する部分が、前記角部と他の角部との中間部分と比較して前記扉から離れる形態となる前記係止部に係止されることにより、前記扉の開放時において、前記扉の前記角部に対応する部分が前記角部と他の角部との中間部分と比較して前記扉から離れる方向に突出することを特徴としている。
【００１３】
また、上記構成の冷蔵庫において、前記パッキンの前記扉に対する取り付け箇所に設けられ前記扉に向かって突出する断面矢尻形状をなす係止片と、前記係止片の先端と根本との略中間部に設けられた前記係止片の周面に対して外側に向かって延びる係合突起と、前記係止片の先端の前記矢尻の部分と前記係合突起との間で凹部として形成された第１係止部と、前記係止片の根元と前記係合突起との間で凹部として形成された第２係止部と、前記係止片を係止して前記パッキンを保持するとともに前記扉の前記角部から他の角部に向かって離れるに連れてその断面形状が第１断面形状、第２断面形状、第３断面形状と変化する係合溝と、を備え、前記係合溝は、前記第１断面形状の領域で前記係止片の前記第１係止部を係止し、前記第３断面形状の領域で前記係止片の前記第２係止部を係止することを特徴としている。
【００１４】
これらの構成によれば、パッキンの扉に対する取り付け構造を利用することで、扉の開放時におけるパッキンの角部の厚みが増加し、扉の閉鎖時におけるパッキンの角部の接触圧力が増加する。したがって、扉の角部においてパッキンと貯蔵室の開口部との間に隙間ができることが抑制される。
【００１５】
また、上記構成の冷蔵庫において、前記パッキンの前記扉に対する取り付け箇所に設けられ前記パッキンの前記扉の前記角部に対応する部分を局部的に前記扉から離れる方向または近づく方向に移動可能にして係合する係合部を備え、前記パッキンは、前記扉の閉鎖状態からの開放過程おいて前記扉から離隔するとき、前記扉の前記角部に対応する部分が、前記角部と他の角部との中間部分と比較して局部的に前記扉から離れる方向に移動することにより、前記扉の開放時において、前記扉の前記角部に対応する部分が前記角部と他の角部との中間部分と比較して前記扉から離れる方向に突出することを特徴としている。
【００１６】
また、上記構成の冷蔵庫において、前記係合部が、前記パッキンの前記扉に対する取り付け箇所に設けられ前記扉に向かって突出する断面矢尻形状をなす係止片と、前記係止片の先端の前記矢尻の部分と根元との間で凹部として形成された係止部と、前記係止片を係止して前記パッキンを保持するとともに前記扉の前記角部から他の角部に向かって離れるに連れてその断面形状が第４断面形状、第５断面形状と変化する係合溝と、を備え、前記係合溝は、前記第４断面形状が前記係止片に引っ掛からない形状をなし、前記第５断面形状の領域で前記係止片の前記係止部を係止することを特徴としている。
【００１７】
これらの構成によれば、扉の開放時にパッキンの角部が変位するというパッキンの構造を利用することで、扉の開放時におけるパッキンの角部の厚みが増加し、扉の閉鎖時におけるパッキンの角部の接触圧力が増加する。したがって、扉の角部においてパッキンと貯蔵室の開口部との間に隙間ができることが抑制される。
【発明の効果】
【００１８】
本発明の構成によれば、貯蔵室の開口部を確実に密閉することができ、冷却効率を向上させることが可能な冷蔵庫を提供することができる。
【図面の簡単な説明】
【００１９】
【図１】本発明の第１実施形態の冷蔵庫の扉閉鎖時の正面図である。
【図２】本発明の第１実施形態の冷蔵庫の上扉開放時の正面図である。
【図３】本発明の第１実施形態の冷蔵庫の扉閉鎖時の扉部分を示す部分上面図である。
【図４】本発明の第１実施形態の冷蔵庫の左右の上扉の対向部分を示す部分拡大上面図である。
【図５】本発明の第１実施形態の冷蔵庫の左上扉のパッキンの上部を示す部分背面図である。
【図６】本発明の第１実施形態の冷蔵庫の左上扉のパッキンの上面図である。
【図７】本発明の第１実施形態の冷蔵庫の左上扉のパッキンの角部を示す部分上面図である。
【図８】図７に示すパッキンのVIII−VIII線における垂直断面側面図である。
【図９】図７に示すパッキンのIX−IX線における垂直断面側面図である。
【図１０】本発明の第２実施形態の冷蔵庫の左上扉の背面側から見た左上角部を示す部分背面図である。
【図１１】図１０に示すパッキンのXI−XI線における垂直断面側面図である。
【図１２】図１０に示すパッキンのXII−XII線における垂直断面側面図である。
【図１３】図１０に示すパッキンのXIII−XIII線における垂直断面側面図である。
【図１４】本発明の第３実施形態の冷蔵庫の左上扉の背面側から見た左上角部を示す部分背面図である。
【図１５】図１４に示すパッキンのXV−XV線における垂直断面側面図である。
【図１６】図１４に示すパッキンのXVI−XVI線における垂直断面側面図である。
【図１７】本発明の第３実施形態の冷蔵庫の左右の上扉の対向部分を示す部分拡大上面図にして、左上扉を開放した状態を示すものである。
【図１８】本発明の第３実施形態の冷蔵庫の左右の上扉の対向部分を示す部分拡大上面図にして、左上扉を開放した状態を示すものである。
【図１９】本発明の第４実施形態の冷蔵庫の扉開閉機構のカム機構の一部を示す正面断面図である。
【図２０】本発明の第４実施形態の冷蔵庫の扉開閉機構のカム機構の動作を示す平面図である。
【図２１】本発明の第４実施形態の冷蔵庫の扉開閉機構のカム機構の動作を示す平面図である。
【図２２】本発明の第４実施形態の冷蔵庫の扉開閉機構のカム機構の動作を示す平面図である。
【図２３】本発明の第４実施形態の冷蔵庫の扉開閉機構のカム機構の動作を示す平面図である。
【発明を実施するための形態】
【００２０】
以下、本発明の実施形態を図１〜図２３に基づき説明する。
【００２１】
＜第１実施形態＞
最初に、本発明の第１実施形態の冷蔵庫について、図１〜図４を用いてその構造の概略を説明する。図１は冷蔵庫の扉閉鎖時の正面図、図２は冷蔵庫の上扉開放時の正面図、図３は冷蔵庫の扉閉鎖時の扉部分を示す部分上面図、図４は冷蔵庫の左右の上扉の対向部分を示す部分拡大上面図である。なお、図１に矢印で示したとおり、図１における左方を冷蔵庫の左側とし、右方を冷蔵庫の右側として説明する。また、図１の紙面奥行き方向手前側を冷蔵庫の正面（前方）とし、紙面奥行き方向奥側を冷蔵庫の背面（後方）として説明する。
【００２２】
冷蔵庫１は、図１及び図２に示すように断熱構造の本体筐体２を備える。本体筐体２はその内部に食品等の貯蔵室として上段に冷蔵室３を備え、下段に不図示の冷凍室を備える。冷蔵室３と冷凍室との間は仕切り部４によって仕切られる。
【００２３】
冷蔵庫１は本体筐体２の前方の上下それぞれに観音開き式の断熱構造の上扉５及び下扉６を備える。冷蔵室３の前方の開口部３ａは上扉５によって開閉される。冷凍室の前方の開口部は下扉６によって開閉される。
【００２４】
上扉５は正面視矩形をなす左上扉５Ｌ及び右上扉５Ｒからなる。下扉６は正面視矩形をなす左下扉６Ｌ及び右下扉６Ｒからなる。左上扉５Ｌ及び左下扉６Ｌは各々左端の上下方向に延びる軸線を回転中心とし、右上扉５Ｒ及び右下扉６Ｒは各々右端の上下方向に延びる軸線を回転中心として観音開き式に回動する。
【００２５】
上扉５の、冷蔵室３の開口部３ａの周縁に対応する部分にはパッキン１０、２０が取り付けられる。なお、パッキンは下扉６の、冷凍室の開口部の周縁に対応する部分にも取り付けられる。
【００２６】
パッキン１０は例えば軟質塩化ビニルの押し出し成型により形成され、左上扉５Ｌの周縁を囲む長方形（四辺）の枠形状をなす。同様に、パッキン２０は右上扉５Ｒの周縁を囲む長方形の枠形状をなす。パッキン１０、２０は各々、上側で左右に延びる上辺部１０Ｔ、２０Ｔと、下側で左右に延びる下辺部１０Ｂ、２０Ｂと、横方向の外側で上下に延びる外辺部１０Ｓ、２０Ｓと、左右の上扉５の互いに対向し合う部分で上下に延びる対向部１０Ｋ、２０Ｋとの四辺からなる。
【００２７】
上扉５を閉鎖すると、上辺部１０Ｔ、２０Ｔと、下辺部１０Ｂ、２０Ｂと、外辺部１０Ｓ、２０Ｓとが冷蔵室３の開口部３ａの周縁に接触する（上辺部１０Ｔ、２０Ｔを描画した図３参照）。冷蔵室３が図２に示すように左右の上扉５の互いに対向し合う部分に対応する箇所に仕切り部を備えていないので、上扉５の閉鎖時、図４に示すように対向部１０Ｋ、２０Ｋが互いに接触することにより開口部３ａが密閉される。
【００２８】
続いて、パッキン１０、２０の詳細な構成について、図５〜図９を用いて説明する。図５は冷蔵庫１の左上扉５Ｌのパッキン１０の上部を示す部分背面図、図６はパッキン１０の上面図、図７はパッキン１０の角部を示す部分上面図、図８は図７に示すパッキン１０のVIII−VIII線における垂直断面側面図、図９は図７に示すパッキン１０のIX−IX線における垂直断面側面図である。なお、図８及び図９において、パッキン１０に対する左方が左上扉５Ｌ側であり、パッキン１０に対する右方が冷蔵室３の開口部３ａ側である。また、パッキン１０、２０は互いに対向し合う部分に関して左右対称をなすだけで同じ構造であるので、以下パッキン１０を代表として掲げて説明する。
【００２９】
パッキン１０は、図５及び図６に示すように外辺部１０Ｓと上辺部１０Ｔとが互いの端部どうしで接合されて角部１１を形成し、上辺部１０Ｔと対向部１０Ｋとが互いの端部どうしで接合されて角部１２を形成する。図示しないが、パッキン１０の下側においても、外辺部１０Ｓと下辺部１０Ｂとが互いの端部どうしで接合され、下辺部１０Ｂと対向部１０Ｋとが互いの端部どうしで接合される。なお、これらの接合は超音波等を利用した溶着などによりなされる。
【００３０】
パッキン１０は係合部３０を介して左上扉５Ｌに取り付けられる。係合部３０は係止片３１と係合溝（不図示）とを備える。係止片３１は、図７〜図９に示すようにパッキン１０の左上扉５Ｌに対する取り付け面１０ａに設けられ、左上扉５Ｌ側（図８及び図９では左方）に向かって突出するとともに開口部３ａの周縁に沿って延びる断面矢尻形状をなす。係合溝は左上扉５Ｌの、パッキン１０の係止片３１に対応する箇所に設けられ、係止片３１を収容して係止することが可能な形状、大きさをなす。係合部３０を介してパッキン１０を左上扉５Ｌに取り付けると、取り付け面１０ａ、または取り付け面１０ａの縁部に設けたシール片１３の先端が左上扉５Ｌに密接する。
【００３１】
パッキン１０は左上扉５Ｌから離れる方向または近づく方向（図８及び図９における左右横方向）に伸縮可能な中空部１４を備える。中空部１４は仕切り壁１５により複数に区分される。
【００３２】
パッキン１０の、開口部３ａに最も近接する箇所には着磁体保持部１６が形成される。着磁体保持部１６は仕切り壁１５とパッキン１０の外周壁とにより囲まれた断面長方形状をなす。着磁体保持部１６は断面長方形状の着磁体１７を収容する。
【００３３】
着磁体１７は可撓性の磁石などで構成される。可撓性の磁石としては、例えば軟質ゴムに粒状の強磁性体を練り込んだ後に着磁して形成することができる。左上扉５Ｌの閉鎖時、着磁体１７はその磁力により、パッキン１０の上辺部１０Ｔ、下辺部１０Ｂ及び外辺部１０Ｓにおいて開口部３ａの周縁の本体筐体２に密着し、対向部１０Ｋにおいて対向し合う右上扉５Ｒのパッキン２０の対向部２０Ｋに密着する。これにより開口部３ａが密閉される。
【００３４】
そして、パッキン１０は左上扉５Ｌの開放時において、左上扉５Ｌの右上扉５Ｒに対向する上側の角部に対応する部分、すなわち角部１２の部分（図７のIX−IX線部分及び図９）が角部１２と他の角部である例えば角部１１との中間部分（図７のVIII−VIII線部分及び図８）と比較して左上扉５Ｌから離れる方向に突出している。すなわち、パッキン１０は上辺部１０Ｔ、下辺部１０Ｂ、外辺部１０Ｓ及び対向部１０Ｋの各々の端部を接合して図２及び図５に示す長方形の枠形状に形成する際、角部１２に対応する部分の中空部１４が、図８に示す角部１１との中間部分と比較して図９に示すように左上扉５Ｌから離れる方向に伸びた状態にして形成される。
【００３５】
このようにして、パッキン１０の上辺部１０Ｔは、図６及び図７に示すように開口部３ａの周縁に対する接触面１０ｃ（図８及び図９参照）が角部１１に対して角部１２に接近するに連れて左上扉５Ｌから離れる方向（図６及び図７における下方向）に突出するように緩やかに傾斜して延びる。
【００３６】
＜第２実施形態＞
次に、本発明の第２実施形態の冷蔵庫について、図１０〜図１３を用いて説明する。図１０は冷蔵庫の左上扉の背面側から見た左上角部を示す部分背面図、図１１、図１２及び図１３はそれぞれ図１０に示すパッキンのXI−XI線、XII−XII線及びXIII−XIII線における垂直断面側面図である。なお、この実施形態の基本的な構成は図１〜図９を用いて説明した前記第１実施形態と同じであるので、第１実施形態と共通する構成要素には前と同じ符号を付し、図面の記載及びその説明を省略するものとする。
【００３７】
第２実施形態の冷蔵庫１は、パッキン１０の上辺部１０Ｔと左上扉５Ｌとの係合部４０として、図１０〜図１３に示す係合溝４２と、図１１〜図１３に示す係止片４１とを備える。なお、図１０は左上扉５Ｌの右上扉５Ｒに対向する上側の角部に対応する部分、すなわち前述のパッキン１０の角部１２に対応する部分を描画している。
【００３８】
係止片４１はパッキン１０の左上扉５Ｌに対する取り付け面１０ａに設けられ、左上扉５Ｌ側（図１１〜図１３の左方）に向かって突出するとともに開口部３ａの周縁に沿って延びる断面矢尻形状をなす。係止片４１は左上扉５Ｌ側に向かって突出する方向の先端と根本との略中間部に係合突起４３を備える。係合突起４３は取り付け面１０ａに沿う方向に関して係止片４１先端の矢尻部分より短い長さで係止片４１の周面に対して外側に向かって、すなわち取り付け面１０ａに沿って外側（図１１〜図１３の上下方向）に向かって突出する。
【００３９】
これにより、係止片４１は係合突起４３より先端側に、その先端の矢尻部分と係合突起４３との間で凹部として形成された第１係止部４４を備える。さらに、係止片４１は係合突起４３より根本側に、その根元と係合突起４３との間で凹部として形成された第２係止部４５を備える。
【００４０】
係合溝４２は左上扉５Ｌの、パッキン１０の係止片４１に対応する箇所に設けられ、開口部３ａの周縁に沿ってパッキン１０が延びる方向に対応して、すなわちパッキン１０の角部１２から角部１１（図５参照、図１０の左右方向）に向かって略直線状に延びている。係合溝４２は図１１に示す角部１２に近接した領域の断面形状４２ａ（第１断面形状）と、図１３に示す角部１２と角部１１との中間領域の断面形状４２ｃ（第３断面形状）とがほぼ同じ形状をなす。断面形状４２ａ、４２ｃは開口縁部４２ｗの溝幅が係止片４１の先端及び係合突起４３の幅より狭く、係止片４１を係止してパッキン１０をしっかりと保持する形状をなす。
【００４１】
そして、係合溝４２は自身が延びる方向に関してそれらの間の領域の断面形状４２ｂ（第２断面形状、図１２参照）が断面形状４２ａ、４２ｃと異なる。断面形状４２ｂは開口縁部４２ｗの溝幅が断面形状４２ａ、４２ｃと比較して広く、係止片４１の係合突起４３が干渉し難い形状となっている。
【００４２】
上記のように、係合溝４２は角部１２から角部１１に向かって離れるに連れてその断面形状が断面形状４２ａ、断面形状４２ｂ、断面形状４２ｃと変化する。なお、係合溝４２の、断面形状４２ａの領域と断面形状４２ｂの領域との間の領域、及び断面形状４２ｂの領域と断面形状４２ｃの領域との間の領域では断面形状がなだらかに変化する。
【００４３】
このような構造の係合部４０に対して、パッキン１０を左上扉５Ｌに取り付ける際、係合溝４２の断面形状４２ａを有する角部１２に近接した領域では、パッキン１０の係止片４１の第１係止部４４を、角部１２が角部１２と角部１１との中間部分と比較して左上扉５Ｌから離れる形態となる係合溝４２に係止させる。また、係合溝４２の断面形状４２ｃを有する角部１２と角部１１との中間領域では、パッキン１０の係止片４１の第２係止部４５を係合溝４２に係止させる。係合溝４２の断面形状４２ｂを有する領域では、係合溝４２の開口縁部４２ｗが係止片４１の係合突起４３に干渉し難いので、パッキン１０が緩やかに傾斜して延びる。
【００４４】
このようにして、パッキン１０の上辺部１０Ｔは開口部３ａの周縁に対する接触面１０ｃが角部１１に対して角部１２に接近するに連れて左上扉５Ｌから離れる方向に突出するように緩やかに傾斜して延びる。
【００４５】
＜第３実施形態＞
次に、本発明の第３実施形態の冷蔵庫について、図１４〜図１８を用いて説明する。図１４は冷蔵庫の左上扉の背面側から見た左上角部を示す部分背面図、図１５及び図１６はそれぞれ図１４に示すパッキンのXV−XV線及びXVI−XVI線における垂直断面側面図である。図１７及び図１８は冷蔵庫の左右の上扉の対向部分を示す部分拡大上面図にして、それぞれ左上扉を１°及び５°開放した状態を示すものである。なお、この実施形態の基本的な構成は図１〜図９を用いて説明した前記第１実施形態と同じであるので、第１実施形態と共通する構成要素には前と同じ符号を付し、図面の記載及びその説明を省略するものとする。
【００４６】
第３実施形態の冷蔵庫１は、パッキン１０の上辺部１０Ｔと左上扉５Ｌとの係合部５０として、図１４〜図１６に示す係合溝５２と、図１５及び図１６に示す係止片５１とを備える。なお、図１４は左上扉５Ｌの右上扉５Ｒに対向する上側の角部に対応する部分、すなわち前述のパッキン１０の角部１２に対応する部分を描画している。
【００４７】
係止片５１はパッキン１０の左上扉５Ｌに対する取り付け面１０ａに設けられ、左上扉５Ｌ側（図１５及び図１６の左方）に向かって突出するとともに開口部３ａの周縁に沿って延びる断面矢尻形状をなす。係止片５１はその先端の矢尻部分と根元との間で凹部として形成された係止部５４を備える。
【００４８】
係合溝５２は図１５に示す角部１２に近接した領域の断面形状５２ａ（第４断面形状）と、図１６に示す角部１２と角部１１との中間領域の断面形状５２ｂ（第５断面形状）とが異なる形状をなす。係合溝５２の断面形状５２ｂは、図１６に示すように係止片５１の係止部５４を係止してパッキン１０をしっかりと保持する形状をなす。
【００４９】
一方、係合溝５２の断面形状５２ａは、図１５に示すように開口縁部５２ｗの溝幅が断面形状５２ｂと比較して広く、係止片５１の先端の矢尻部分が引っ掛からない形状となっている。すなわち、断面形状５２ａはパッキン１０の角部１２を局部的に左上扉５Ｌから離れる方向または近づく方向に移動可能にする形状をなす。これにより、角部１２に近接した領域において、パッキン１０は係合部５０に係止されない。
【００５０】
上記のように、係合溝５２は角部１２から角部１１に向かって離れるに連れてその断面形状が断面形状５２ａ、断面形状５２ｂと変化する。なお、係合溝５２の、断面形状５２ａの領域と断面形状５２ｂの領域との間の領域では断面形状がなだらかに変化する。
【００５１】
このような構造の係合部５０を用いてパッキン１０を左上扉５Ｌに取り付け、左上扉５Ｌを開口部３ａに対して閉鎖すると、パッキン１０はその角部１２の部分、及び角部１２と角部１１との中間部分ともに、左上扉５Ｌと本体筐体２との間に挟まれてピッタリと密着する（図４参照）。パッキン１０の左上扉５Ｌから開口部３ａ（本体筐体２）に向かう方向の厚みは全体的に均一をなす。
【００５２】
続いて、左上扉５Ｌを閉鎖状態から開放するとき、開放過程おいてパッキン１０はその角部１２の部分が、着磁体１７の磁力により開口部３ａ側に引っ張られる。パッキン１０は係合溝５２の、断面形状５２ａの領域と断面形状５２ｂの領域との間の領域において、角部１２から角部１１に向かって離れるに連れて徐々に係止部５４による係止度合いが高まる。これにより、パッキン１０はその角部１２の部分が、角部１２と角部１１との中間部分と比較して局部的に左上扉５Ｌから離れる方向に移動して図１５、図１７及び図１８に示す形態となる。なお、図１７及び図１８には従来例の参考として、パッキン１０の角部１２の部分が局部的に左上扉５Ｌから離れる方向に移動しない場合の接触面１０ｃの位置を二点鎖線で描画している。
【００５３】
このようにして、左上扉５Ｌの開放時において、パッキン１０の上辺部１０Ｔは開口部３ａの周縁に対する接触面１０ｃが角部１１に対して角部１２に接近するに連れて左上扉５Ｌから離れる方向に突出するように緩やかに傾斜して延びる。
【００５４】
＜第４実施形態＞
次に、本発明の第４実施形態の冷蔵庫について、図１９〜図２３を用いて説明する。図１９は冷蔵庫の扉開閉機構のカム機構の一部を示す正面断面図である。図２０〜図２３は扉開閉機構のカム機構の動作を示す平面図である。なお、この実施形態の基本的な構成は図１〜図９を用いて説明した前記第１実施形態と同じであるので、第１実施形態と共通する構成要素には前と同じ符号を付し、図面の記載及びその説明を省略するものとする。
【００５５】
第４実施形態の冷蔵庫１は、上扉５及び下扉６各々を回動可能にする扉開閉機構に、図１９〜図２３に示すカム機構を備える。カム機構は左上扉５Ｌ、右上扉５Ｒ、左下扉６Ｌ及び右下扉６Ｒ各々の上部及び下部に同様の構造で設けられる。なおここでは、左上扉５Ｌの下部に設けられたカム機構を例に掲げて説明する。
【００５６】
カム機構は、左上扉５Ｌと本体筐体２とに設けられた部材からなる。図１９は、左上扉５Ｌの下部に配置されるカム機構の一部、すなわち左上扉５Ｌの下部の軸側に対応する箇所に配置される部材群を示す正面断面図である。左上扉５Ｌには軸側に配置されるスライドカム部材６０と、開放側に配置されるガイドカム８１（図２０参照）とが取り付けられる。本体筐体２にはスライドカム部材６０と係合するロックカム組品７０と、ガイドカム８１と係合するガイドピン８２（図２０参照）とが取り付けられる。
【００５７】
スライドカム部材６０は樹脂成形品からなり、上面に上方に向かって突出するボス６０ａ、６０ｂが形成され、上下方向に貫通するネジ孔６０ｃ、６０ｄが形成される。ボス６０ａ、６０ｂを左上扉５Ｌの下面に設けられたボス孔（不図示）に嵌合し、ネジ孔６０ｃ、６０ｄに下方からタッピングネジ（不図示）を挿通してスライドカム部材６０が左上扉５Ｌの下面に取り付けられる。また、スライドカム部材６０には後述するロック部材６１を位置決めするボス孔６０ｆが形成される。
【００５８】
ロックカム組品７０はロックカム部材７１とアングル７２とがネジ７３により一体化され、スライドカム部材６０と係合してカム機構の一部を構成する。ロックカム部材７１は樹脂成形品からなり、アングル７２は左上扉５Ｌの重量を支えるため金属部材からなる。
【００５９】
アングル７２には３箇所にネジ孔７２ａが形成される。ネジ孔７２ａにタッピングネジを挿通してアングル７２、すなわちロックカム組品７０が本体筐体２に取り付けられる。また、例えばステンレス鋼等の金属から成るヒンジピン７４、ロックピン７５及び補助ガイドピン７６がそれぞれかしめてアングル７２に一体化されている。ヒンジピン７４、ロックピン７５及び補助ガイドピン７６はロックカム部材７１をそれぞれ貫通して上方に向かって突出する。
【００６０】
ヒンジピン７４の底部には台座部７４ａが同心に形成される。スライドカム部材６０に形成されるボス６２の底面６２ａは左上扉５Ｌの閉鎖時に台座部７４ａの上に乗る。ボス６２には底面６２ａに対して下方に突出する段差部６２ｂが形成される。段差部６２ｂの内周側は台座部７４ａに沿って形成され、台座部７４ａの周部に接して面取りされる。
【００６１】
図２０はカム機構の平面図であって左上扉５Ｌを閉鎖した状態を示しており、本体筐体２側に取り付けられる部材には斜線を付している。スライドカム部材６０には、ロック部材６１が取り付けられる。ロック部材６１は樹脂成形品からなり、上面に上方に向かって突出するボス（不図示）を備える。ロック部材６１はこのボスをスライドカム部材６０の下面に設けられたボス孔６０ｆ（図１９参照）に嵌合させて、タッピングネジ（不図示）等により取り付けられる。
【００６２】
ロック部材６１の一端にはアーム部６１ａが形成される。アーム部６１ａは延びた方向に略垂直な方向（図２０の紙面と略平行をなす方向）の荷重に対して弾性変形するようになっている。アーム部６１ａの端部にはロックピン７５と係合する係合部６１ｂが設けられる。ロック部材６１の他端にはロックカム部材７１（図１９参照）に形成されたストッパー７１ａに当接して左上扉５Ｌの回動を規制する規制部６１ｃが設けられる。
【００６３】
スライドカム部材６０の一端の下面には長孔状のヒンジ溝６３が上方に向かって窪んだ凹部として形成される。ヒンジ溝６３の周囲には後述する第２係止位置のときのヒンジピン７４を中心とした円筒面６２ｃを有するボス６２が形成される。
【００６４】
ロックカム部材７１のヒンジピン７４の周囲にはヒンジピン７４と同心の円筒状の凹面７７ａを有するリブ７７が上方に向かって突出する形で設けられる。スライドカム部材６０のヒンジ溝６３よりも開口部３ａの中央側の下面にはＬ字型に屈曲した補助ガイド溝６４が上方に向かって窪んだ凹部として形成される。補助ガイド溝６４は後述する第１係止位置から第２係止位置まで補助ガイドピン７６を相対的に案内する案内部６４ａと、第２係止位置で補助ガイドピン７６を相対的に逃がす逃げ部６４ｂとを有する。
【００６５】
左上扉５Ｌの開放側に取り付けられるガイドカム８１は樹脂成形品からなり、屈曲したガイド溝８３を備える。本体筐体２にはガイド溝８３に係合する例えばステンレス製のガイドピン８２がアングル（不図示）に支持されて取り付けられる。
【００６６】
ガイド溝８３は後述する第１係止位置から第２係止位置までガイドピン８２を相対的に案内する案内部８３ａと、第２係止位置でガイドピン８２を相対的に逃がす逃げ部８３ｂと、案内部８３ａの端部から第１係止位置のヒンジピン７４を中心とする円周方向に延設される円弧部８３ｃとを有する。
【００６７】
続いて、図２０〜図２３を参照して、左上扉５Ｌの下部のカム機構の動作を説明する。他のカム機構についても同様の動作が行われる。なお、これらの図においてカム機構の各部位は本来破線で表すべきであるが、便宜上実線で示している。また、斜線部分は前述したように本体筐体２側に配置される部材を示している。
【００６８】
前述したように、図２０は左上扉５Ｌを閉鎖した状態を示している。左上扉５Ｌの閉鎖状態ではヒンジ溝６３の一端にヒンジピン７４が係止され、カム機構は第１係止位置をとる。第１係止位置では、ガイドピン８２がガイド溝８３の案内部８３ａの端部に配置されている。また、補助ガイドピン７６が補助ガイド溝６４の案内部６４ａの端部に配置されている。
【００６９】
ガイド溝８３の円弧部８３ｃは第１係止位置のヒンジピン７４を中心とする円弧上に形成されているので、第１係止位置でヒンジピン７４を回動軸として左上扉５Ｌは閉じる方向に回動することができる。したがって、第１係止位置の左上扉５Ｌを確実に閉じることができる。このとき、補助ガイド溝６４の案内部６４ａと補助ガイドピン７６とが当接して左上扉５Ｌの回動を規制しないように、第１係止位置のときに補助ガイドピン７６と案内部６４ａとの間には溝の長手方向及び幅方向の隙間Ａ１、Ａ２が設けられている。
【００７０】
ロックピン７５はロック部材６１の係合部６１ｂと係合し、アーム部６１ａの弾性力により左上扉５Ｌが右上扉５Ｒの方向に付勢されている。これにより、左上扉５Ｌと右上扉５Ｒとの間の所定量の隙間を確実に保持するとともに、ヒンジピン７４とヒンジ溝６３との間の嵌合のための隙間による左上扉５Ｌの遊動を防止する。したがって、カム機構が第１係止位置の状態を保持するとともに左上扉５Ｌの開口部３ａに対する閉鎖密閉状態をより確実にしている。
【００７１】
外側から左上扉５Ｌを引くことにより左上扉５Ｌが開き始めると、左上扉５Ｌは開放に伴って回動するが、ガイド溝８３の案内部８３ａがガイドピン８２と係合するため、第１係止位置のままではヒンジピン７４を軸として回動することができない。このため、ヒンジピン７４が相対的にヒンジ溝６３に案内されるとともにガイドピン８２が案内部８３ａに案内される。また、補助ガイド溝６４の案内部６４ａに設けられた隙間Ａ２により補助ガイドピン７６の相対移動が規制されないようになっている。
【００７２】
これにより、左上扉５Ｌは回動しながら右上扉５Ｒから離れる方向（図２０の左方向）へスライド移動する。したがって、左上扉５Ｌに設けられたパッキン１０は右上扉５Ｒに設けられたパッキン２０から離れる。その結果、パッキン１０、２０の摺動を回避して損傷が防止されるとともに、摺動摩擦の低減によって開放の操作力が軽減される。
【００７３】
このとき、ボス６２の段差部６２ｂ（図１９参照）が台座部７４ａ（図１９参照）に乗り上げて左上扉５Ｌが持ち上げられる。したがって、左上扉５Ｌを引く操作力が働いた場合にのみ左上扉５Ｌを開くことができ、パッキン１０の弾性力によって容易に左上扉５Ｌが閉鎖状態から開いてしまわないようになっている。
【００７４】
また、ロック部材６１のアーム部６１ａが弾性変形し、ロックピン７５と係合部６１ｂとの係合解除が開始される。このときに左上扉５Ｌを持つ手を離すと、左上扉５Ｌはアーム部６１ａの弾性力により図２０の状態に戻る。したがって、ロック部材６１とロックピン７５により自閉機能を有し、左上扉５Ｌを確実に閉じることができるようになっている。
【００７５】
左上扉５Ｌが回動しながらスライド移動していくと、図２１に示すようにヒンジピン７４がヒンジ溝６３の他端に係止され、カム機構は第２係止位置をとる。また、ボス６２の円筒面６２ｃがリブ７７の凹面７７ａに沿って摺動を開始する。
【００７６】
このとき、ガイドピン８２及び補助ガイドピン７６はそれぞれガイド溝８３及び補助ガイド溝６４の案内部８３ａ、６４ａと逃げ部８３ｂ、６４ｂとの交差位置に配置される。ガイド溝８３及び補助ガイド溝６４の逃げ部８３ｂ、６４ｂは第２係止位置でのヒンジピン７４を中心とする円弧状に形成され、ガイドピン８２及び補助ガイドピン７６を相対的に逃がすとともに左上扉５Ｌの回動を案内し、第２係止位置を確実に保持するようになっている。
【００７７】
さらに左上扉５Ｌを開くと、図２２に示すように、ボス６２の円筒面６２ｃがリブ７７の凹面７７ａの２箇所で摺動し、ボス６２がヒンジ溝６３の長手方向に移動できなくなる。これにより、カム機構は第２係止位置の状態を保持し、左上扉５Ｌが枢支される。リブ７７の凹面７７ａはボス６２を案内できればよいので、リブ７７に替えて例えばヒンジピン７４と同心の円弧上に配列された複数のピン等によって形成しても良い。
【００７８】
また、ガイド溝８３がガイドピン８２を相対的に案内してカム機構が第２係止位置を保持しながら左上扉５Ｌが回動する。補助ガイド溝６４の案内部６４ａには補助ガイドピン７６との間に隙間Ａ１、Ａ２（図２０参照）が設けられているため、ガイド溝８３の逃げ部８３ｂとガイドピン８２との係合よりも後に補助ガイド溝６４の逃げ部６４ｂと補助ガイドピン７６との係合が開始される。
【００７９】
さらに左上扉５Ｌを開くと、図２３に示すように、ガイド溝８３とガイドピン８２との係合が解除される。その後、カム機構は補助ガイド溝６４が補助ガイドピン７６を相対的に案内して第２係止位置を保持し、左上扉５Ｌが回動する。また、ロックピン７５とロック部材６１との係合が解除される。
【００８０】
ここで、ガイドカム８１や補助ガイドピン７６の取り付け誤差やガイドカムの寸法誤差により、ガイドピン８２と補助ガイドピン７６との距離と、対応する位置の逃げ部８３ｂ、６４ｂ間の距離とが一致しない場合がある。このとき、ガイド溝８３とガイドピン８２との係合と、補助ガイド溝６４と補助ガイドピン７６との係合とが同時に生じている期間は、該誤差により例えばガイド溝８３とガイドピン８２との摺動摩擦が大きくなってスムーズに左上扉５Ｌを開くことができなくなる。
【００８１】
このため、逃げ部８３ｂとガイドピン８２とが係合している期間は、逃げ部６４ｂと補助ガイドピン７６との隙間を大きくし、逃げ部８３ｂとガイドピン８２との係合が解除された後の期間は逃げ部６４ｂと補助ガイドピン７６との隙間を小さくしている。逃げ部６４ｂと補助ガイドピン７６の隙間を可変して取り付け誤差の影響を回避することによって、左上扉５Ｌをスムーズに回動させることができる。
【００８２】
なお、逃げ部６４ｂと補助ガイドピン７６の係合が開始される前の逃げ部８３ｂとガイドピン８２との隙間を小さくし、逃げ部６４ｂと補助ガイドピン７６の係合が開始された後の逃げ部８３ｂとガイドピン８２との隙間を大きくしても同様の効果を得ることができる。
【００８３】
そして、さらに左上扉５Ｌが開放されるとロック部材６１の規制部６１ｃがロックカム部材７１（図１９参照）に形成されたストッパー７１ａと当接し、左上扉５Ｌの回動の範囲が規制される。また、以上に説明した図２０〜図２３に示す動作と逆の動作により左上扉５Ｌを閉じることができる。
【００８４】
本実施形態において左上扉５Ｌを閉じる場合、カム機構が第２係止位置から第１係止位置に移行するときに、左上扉５Ｌは回動しながら右上扉５Ｒに近づく方向（図２０の右方向）へスライド移動する。したがって、左上扉５Ｌに設けられたパッキン１０は右上扉５Ｒに設けられたパッキン２０に押し付けられるように接触する。この構成により、左上扉５Ｌと右上扉５Ｒとが互いに対向し合う部分に対応する箇所に冷蔵室３が仕切り部を備えていなくても、その対向し合う部分が密閉されて外部への冷気漏れを防止することができる。
【００８５】
また、本実施形態は、左上扉５Ｌに対するパッキン１０の取り付けに関して、第３実施形態として説明した構造を有する（図１４〜図１８参照）。すなわち、左上扉５Ｌの開放過程において、パッキン１０はその角部１２の部分が、角部１２と角部１１との中間部分と比較して局部的に左上扉５Ｌから離れる方向に移動して図１５、図１７及び図１８に示す形態となる。
【００８６】
ここで、図１７及び図１８に参考例として二点鎖線で描画した従来例のようにパッキン１０の角部１２の部分が局部的に左上扉５Ｌから離れる方向に移動しない場合、左上扉５Ｌと右上扉５Ｒとの密着度合いが比較的高いと、左上扉５Ｌを開放するときに左上扉５Ｌに釣られて右上扉５Ｒも開いてしまう虞がある。これにより、冷蔵室３の外部への冷気の流出量が増加し、冷蔵庫１の省エネルギー化が阻害される可能性がある。
【００８７】
そこで、本実施形態によれば、パッキン１０の角部１２の部分が、角部１２と角部１１との中間部分と比較して局部的に左上扉５Ｌから離れる方向に移動するので（図１５、図１７及び図１８参照）、左上扉５Ｌを開放するとき、左上扉５Ｌと右上扉５Ｒとの間の接触圧力が低減されて左上扉５Ｌに釣られて右上扉５Ｒも開いてしまうことを抑制することが可能である。
【００８８】
これらの実施形態のように、冷蔵庫１のパッキン１０の上辺部１０Ｔは、左上扉５Ｌの開放時において、左上扉５Ｌの角部に対応する角部１２の部分の開口部３ａの周縁に対する接触面１０ｃが角部１２と他の角部である角部１１との中間部分と比較して左上扉５Ｌから離れる方向に突出する。これにより、左上扉５Ｌの開放時において、パッキン１０の角部１２の左上扉５Ｌから冷蔵室３の開口部３ａに向かう方向の厚みが増加する。さらに、左上扉５Ｌの閉鎖時において、パッキン１０の角部１２の開口部３ａとの接触圧力が増加する。したがって、左上扉５Ｌの角部においてパッキン１０と冷蔵室３の開口部３ａとの間に隙間ができることを抑制することが可能である。
【００８９】
また、第１実施形態で説明したパッキン１０は、左上扉５Ｌから離れる方向または近づく方向に伸縮可能な中空部１４を備え、左上扉５Ｌの角部に対応する角部１２の部分の中空部１４が、角部１２と他の角部１１との中間部分と比較して左上扉５Ｌから離れる方向に伸びた状態にして角部１２の部分が形成されることにより、左上扉５Ｌの開放時において、左上扉５Ｌの角部に対応する角部１２の部分が角部１２と他の角部である角部１１との中間部分と比較して左上扉５Ｌから離れる方向に突出する。これにより、パッキン１０の中空部１４の構造を利用することで、左上扉５Ｌの開放時におけるパッキン１０の角部１２の厚みが増加し、左上扉５Ｌの閉鎖時におけるパッキン１０の角部１２の接触圧力が増加する。したがって、左上扉５Ｌの角部においてパッキン１０と冷蔵室３の開口部３ａとの間に隙間ができることを抑制することが可能である。
【００９０】
そして、第２実施形態で説明した冷蔵庫１は、パッキン１０の左上扉５Ｌに対する取り付け箇所に設けられパッキン１０を左上扉５Ｌから離れる方向または近づく方向の複数箇所で左上扉５Ｌに対して係止可能にする第１係止部４４及び第２係止部４５を備え、パッキン１０の、左上扉５Ｌの角部に対応する角部１２の部分が、角部１２と他の角部である角部１１との中間部分と比較して左上扉５Ｌから離れる形態となる第１係止部４４に係止されることにより、左上扉５Ｌの開放時において、左上扉５Ｌの角部に対応する角部１２の部分が角部１２と他の角部である角部１１との中間部分と比較して左上扉５Ｌから離れる方向に突出する。
【００９１】
より詳しく言えば、冷蔵庫１は、パッキン１０の取り付け面１０ａに設けられ左上扉５Ｌに向かって突出する断面矢尻形状をなす係止片４１と、係止片４１の先端と根本との略中間部に設けられた係止片４１の周面に対して外側に向かって延びる係合突起４３と、係止片４１の先端の矢尻部分と係合突起４３との間で凹部として形成された第１係止部４４と、係止片４１の根元と係合突起４３との間で凹部として形成された第２係止部４５と、係止片４１を係止してパッキン１０を保持するとともに角部１２から他の角部である角部１１に向かって離れるに連れてその断面形状が断面形状４２ａ、断面形状４２ｂ、断面形状４２ｃと変化する係合溝４２と、を備える。そして、係合溝４２は、断面形状４２ａの領域で係止片４１の第１係止部４４を係止し、断面形状４２ｃの領域で係止片４１の第２係止部４５を係止する。
【００９２】
これにより、パッキン１０の左上扉５Ｌに対する取り付け構造を利用することで、左上扉５Ｌの開放時におけるパッキン１０の角部１２の厚みが増加し、左上扉５Ｌの閉鎖時におけるパッキン１０の角部１２の接触圧力が増加する。したがって、左上扉５Ｌの角部においてパッキン１０と冷蔵室３の開口部３ａとの間に隙間ができることを抑制することが可能である。
【００９３】
さらに、第３実施形態で説明した冷蔵庫１は、パッキン１０の左上扉５Ｌに対する取り付け箇所に設けられパッキン１０の左上扉５Ｌの角部に対応する角部１２の部分を局部的に左上扉５Ｌから離れる方向または近づく方向に移動可能にして係合する係合部５０を備え、左上扉５Ｌの閉鎖状態からの開放過程おいてパッキン１０を左上扉５Ｌから離隔するとき、パッキン１０の、左上扉５Ｌの角部に対応する角部１２の部分が、角部１２と他の角部である角部１１との中間部分と比較して局部的に左上扉５Ｌから離れる方向に移動することにより、左上扉５Ｌの開放時において、左上扉５Ｌの角部に対応する角部１２の部分が角部１２と他の角部である角部１１との中間部分と比較して左上扉５Ｌから離れる方向に突出する。
【００９４】
より詳しく言えば、冷蔵庫１は、係合部５０が、パッキン１０の取り付け面１０ａに設けられ左上扉５Ｌに向かって突出する断面矢尻形状をなす係止片５１と、係止片５１の先端の矢尻部分と根元との間で凹部として形成された係止部５４と、係止片５１を係止してパッキン１０を保持するとともに角部１２から角部１１に向かって離れるに連れてその断面形状が断面形状５２ａ、断面形状５２ｂと変化する係合溝５２と、を備える。そして、係合溝５２は、断面形状５２ａが係止片５１の先端の矢尻部分が引っ掛からない形状をなし、断面形状５２ｂの領域で係止片５１の係止部５４を係止する。
【００９５】
これにより、左上扉５Ｌの開放時にパッキン１０の角部１２が変位するというパッキン１０の構造を利用することで、左上扉５Ｌの開放時におけるパッキン１０の角部１２の厚みが増加し、左上扉５Ｌの閉鎖時におけるパッキン１０の角部１２の接触圧力が増加する。したがって、左上扉５Ｌの角部においてパッキン１０と冷蔵室３の開口部３ａとの間に隙間ができることを抑制することが可能である。
【００９６】
そして、本発明の上記実施形態の構成によれば、冷蔵室３の前方の開口部３ａを確実に密閉することができ、冷却効率を向上させることが可能な冷蔵庫１を提供することができる。
【００９７】
以上、本発明の実施形態につき説明したが、本発明の範囲はこれに限定されるものではなく、発明の主旨を逸脱しない範囲で種々の変更を加えて実施することができる。
【００９８】
例えば、上記実施形態では、左上扉５Ｌの右上扉５Ｒに対向する上側の角部に対応する部分である、パッキン１０の上辺部１０Ｔの角部１２の部分を一例として掲げて説明したが、本発明の適用対象は当該箇所に限定されるわけではなく、他の箇所であっても良い。本発明の適用対象は上辺部１０Ｔの角部１１であっても良いし、下辺部１０Ｂ、外辺部１０Ｓまたは対向部１０Ｋの他の角部であっても良い。そして、本発明の適用対象は４箇所の角部のうち１箇所のみへの適用に限定されるわけではなく、複数、例えば４箇所すべてに適用しても良い。さらに、本発明を下扉６に対して適用しても良い。
【００９９】
また、本実施形態では、観音開き式の扉を例として掲げて説明したが、片開き式の扉に対して本発明を適用しても良い。さらに、扉の開閉方向は限定せず、左右方向、上下方向いずれの方向に開閉するタイプの扉にも本発明を適用することができる。
【産業上の利用可能性】
【０１００】
本発明は冷蔵庫において利用可能である。
【符号の説明】
【０１０１】
１    冷蔵庫
２    本体筐体
３    冷蔵室（貯蔵室）
３ａ    開口部
５    上扉（扉）
５Ｌ    左上扉（扉）
５Ｒ    右上扉（扉）
１０、２０    パッキン
１０ａ    取り付け面
１０ｃ    接触面
１０Ｔ    上辺部
１０Ｋ    対向部
１１、１２    角部
１４    中空部
１６    着磁体保持部
１７    着磁体
３０、４０、５０    係合部
３１、４１、５１    係止片
３２、４２、５２    係合溝
４２ａ    断面形状（第１断面形状）
４２ｂ    断面形状（第２断面形状）
４２ｃ    断面形状（第３断面形状）
４３    係合突起
４４    第１係止部（係止部）
４５    第２係止部（係止部）
５２ａ    断面形状（第４断面形状）
５２ｂ    断面形状（第５断面形状）
５４    係止部
【図１】
2015087084.tif 000003
【図２】
2015087084.tif 000004
【図３】
2015087084.tif 000005
【図４】
2015087084.tif 000006
【図５】
2015087084.tif 000007
【図６】
2015087084.tif 000008
【図７】
2015087084.tif 000009
【図８】
2015087084.tif 000010
【図９】
2015087084.tif 000011
【図１０】
2015087084.tif 000012
【図１１】
2015087084.tif 000013
【図１２】
2015087084.tif 000014
【図１３】
2015087084.tif 000015
【図１４】
2015087084.tif 000016
【図１５】
2015087084.tif 000017
【図１６】
2015087084.tif 000018
【図１７】
2015087084.tif 000019
【図１８】
2015087084.tif 000020
【図１９】
2015087084.tif 000021
【図２０】
2015087084.tif 000022
【図２１】
2015087084.tif 000023
【図２２】
2015087084.tif 000024
【図２３】
2015087084.tif 000025
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
開口部を有する貯蔵室と、
前記開口部を開閉する正面視矩形をなす扉と、
前記扉の前記開口部の周縁に対応する部分に取り付けられ前記扉の閉鎖時に前記開口部の周縁に接触するパッキンと、
前記パッキンの前記扉に対する取り付け箇所に設けられ前記パッキンを前記扉から離れる方向または近づく方向の複数箇所で前記扉に対して係止可能にする係止部と、
を備え、
前記パッキンは、前記扉の角部に対応する部分が、前記角部と他の角部との中間部分と比較して前記扉から離れる形態となる前記係止部に係止されることにより、前記扉の開放時において、前記扉の前記角部に対応する部分が前記角部と他の角部との中間部分と比較して前記扉から離れる方向に突出することを特徴とする冷蔵庫。
【請求項２】
前記パッキンの前記扉に対する取り付け箇所に設けられ前記扉に向かって突出する断面矢尻形状をなす係止片と、
前記係止片の先端と根本との略中間部に設けられた前記係止片の周面に対して外側に向かって延びる係合突起と、
前記係止片の先端の前記矢尻の部分と前記係合突起との間で凹部として形成された第１係止部と、
前記係止片の根元と前記係合突起との間で凹部として形成された第２係止部と、
前記係止片を係止して前記パッキンを保持するとともに前記扉の前記角部から他の角部に向かって離れるに連れてその断面形状が第１断面形状、第２断面形状、第３断面形状と変化する係合溝と、
を備え、
前記係合溝は、前記第１断面形状の領域で前記係止片の前記第１係止部を係止し、前記第３断面形状の領域で前記係止片の前記第２係止部を係止することを特徴とする請求項１に記載の冷蔵庫。
【請求項３】
開口部を有する貯蔵室と、
前記開口部を開閉する正面視矩形をなす扉と、
前記扉の前記開口部の周縁に対応する部分に取り付けられ前記扉の閉鎖時に前記開口部の周縁に接触するパッキンと、
前記パッキンの前記扉に対する取り付け箇所に設けられ前記パッキンの前記扉の角部に対応する部分が局部的に引っ掛からない形状をなすことにより当該部分を前記扉から離れる方向または近づく方向に移動可能にして係合する係合部と、
を備え、
前記パッキンは、前記扉の閉鎖状態からの開放過程おいて前記扉から離隔するとき、前記扉の前記角部に対応する部分が、前記角部と他の角部との中間部分と比較して局部的に前記扉から離れる方向に移動することにより、前記扉の開放時において、前記扉の前記角部に対応する部分が前記角部と他の角部との中間部分と比較して前記扉から離れる方向に突出することを特徴とする冷蔵庫。
【請求項４】
前記係合部が、
前記パッキンの前記扉に対する取り付け箇所に設けられ前記扉に向かって突出する断面矢尻形状をなす係止片と、
前記係止片の先端の前記矢尻の部分と根元との間で凹部として形成された係止部と、
前記係止片を係止して前記パッキンを保持するとともに前記扉の前記角部から他の角部に向かって離れるに連れてその断面形状が第４断面形状、第５断面形状と変化する係合溝と、
を備え、
前記係合溝は、前記第４断面形状が前記係止片に引っ掛からない形状をなし、前記第５断面形状の領域で前記係止片の前記係止部を係止することを特徴とする請求項３に記載の冷蔵庫。